(57)【特許請求の範囲】
【請求項１】
固定対象物に固定されるヒューズユニットであって、
前記固定対象物の設置面部に設置されるヒューズユニット本体と、
前記ヒューズユニット本体に取り付けられる金属製の弾性部材と、を備え、
前記ヒューズユニット本体は、樹脂製のベース体を有し、
前記弾性部材は、互いに交差して延びる第一アーム部及び第二アーム部を有して形成され、前記第一アーム部及び前記第二アーム部が全体Ｌ字状に一体成形され、前記第二アーム部が前記ベース体に保持され、
前記ヒューズユニット本体から延びて前記固定対象物の係止部に係止される被係止部が前記弾性部材の第一アーム部を切り起こして形成され、
前記ヒューズユニット本体を前記設置面部から離れる方向に付勢する付勢部が前記弾性部材の第二アーム部を切り起こして形成されていることを特徴とするヒューズユニット。
【発明の詳細な説明】
【技術分野】
【０００１】
本発明は、ヒューズユニットに関する。
【背景技術】
【０００２】
従来、固定対象物に対して被固定物を固定するための固定構造として、例えば、バッテリに対して電気部品（ヒューズやヒュージブルリンク等）を固定するための電気部品の固定構造が提案されている（例えば、特許文献１参照）。特許文献１に記載された電気部品の固定構造は、バッテリの電極ポストに固定されるバッテリ端子と、このバッテリ端子に接続されるヒューズユニットと、バッテリ端子に立設されたボルトを挿通可能な補強板と、を備えて構成されている。ヒューズユニットは、その電源側端子が補強板を介してバッテリ端子のボルトと、ナットとによって締結されることで、バッテリに固定されるようになっている。
【先行技術文献】
【特許文献】
【０００３】
【特許文献１】特開２０１３−３７９４９号公報
【発明の概要】
【発明が解決しようとする課題】
【０００４】
しかしながら、特許文献１に記載されたような従来の電気部品の固定構造では、電気部品（ヒューズユニット）が固定対象物（バッテリ）の突起部（電極ポスト）に固定される構成であるため、電気部品の全荷重が突起部に作用することとなり、突起部に対する負荷が大きくなってしまう。また、電気部品が固定対象物の突起部、接続部材（バッテリ端子）及びボルトを介して固定されているため、固定対象物から見て片持ち状に電気部品が支持されることとなり、振動や衝撃によって電気部品にがたつきや移動が生じやすくなり、安定した支持状態を維持するのが困難になるという問題がある。
【０００５】
本発明の目的は、固定対象物に対する負荷を軽減させるとともに支持状態を安定させることができるヒューズユニットを提供することにある。
【課題を解決するための手段】
【０００６】
前記課題を解決するために、請求項１に記載された本発明のヒューズユニットは、固定対象物に固定されるヒューズユニットであって、前記固定対象物の設置面部に設置されるヒューズユニット本体と、前記ヒューズユニット本体に取り付けられる金属製の弾性部材と、を備え、前記ヒューズユニット本体は、樹脂製のベース体を有し、前記弾性部材は、互いに交差して延びる第一アーム部及び第二アーム部を有して形成され、前記第一アーム部及び前記第二アーム部が全体Ｌ字状に一体成形され、前記第二アーム部が前記ベース体に保持され、前記ヒューズユニット本体から延びて前記固定対象物の係止部に係止される被係止部が前記弾性部材の第一アーム部を切り起こして形成され、前記ヒューズユニット本体を前記設置面部から離れる方向に付勢する付勢部が前記弾性部材の第二アーム部を切り起こして形成されていることを特徴とする。
【０００９】
以上のような本発明によれば、固定対象物の設置面部にヒューズユニットを設置するとともに、固定対象物の係止部にヒューズユニットの被係止部が係止されることで、固定対象物にヒューズユニットが支持される。この支持状態において、付勢部によってヒューズユニット本体を設置面部から離れる方向に付勢することで、係止部と被係止部との係止力を高めることができ、支持状態を安定させることができる。さらに、付勢部の付勢力によってヒューズユニット本体が付勢されているので、振動や衝撃によるヒューズユニットのがたつきや移動を抑制することができる。なお、固定対象物における係止部は、設置面部と交差する方向に延びる交差面部に設けられていることが好ましく、このような交差面部に係止部が設けられていれば、突起部などにヒューズユニットを固定する場合と比較して、固定対象物に対する負荷を軽減させることができる。
【００１１】
また、金属製の弾性部材の第一アーム部及び第二アーム部にそれぞれ被係止部及び付勢部が設けられているので、係止部に被係止部が係止されることによる係止力と、付勢部がヒューズユニット本体を付勢する付勢力と、が一体の弾性部材によって伝達されることになる。従って、弾性部材の内部応力によって係止力と付勢力とが釣り合うことで、ヒューズユニット本体に余計なストレスを作用させることがなく、ヒューズユニットを強固かつ安定的に支持することができる。また、一体の弾性部材に被係止部及び付勢部が設けられることで、部品点数の増加を招くことなく、固定構造を構成することができる。
【００１３】
さらに、金属製の弾性部材の第一アーム部及び第二アーム部にそれぞれ被係止部及び付勢部が切り起こしによって形成されているので、別体の被係止部や付勢部を取り付ける場合と比較して、部品点数を削減することができる。さらに、金属製の弾性部材の一部を切り起こして被係止部及び付勢部を形成することで、被係止部及び付勢部の強度を容易に高めることができ、係止力及び付勢力を適切に作用させることができる。
【発明の効果】
【００１４】
本発明の被固定物、ヒューズユニット及び固定構造によれば、被係止部を係止部に係止させて、被固定物（ヒューズユニット）を固定対象物に固定することで、固定対象物に対する負荷を軽減させることができるとともに、付勢部によって被固定物本体（ヒューズユニット本体）を設置面部から離れる方向に付勢することで、固定対象物に対する被固定物本体（ヒューズユニット本体）のがたつきや移動を抑制して支持状態を安定させることができる。
【図面の簡単な説明】
【００１５】
【図１】本発明の実施形態に係る固定構造を示す斜視図である。
【図２】前記固定構造を分解して示す斜視図である。
【図３】前記固定構造の要部を示す斜視図である。
【図４】前記固定構造に用いられる弾性部材を示す斜視図である。
【図５】前記固定構造の作用を示す断面図である。
【図６】本発明の変形例に係る電気部品を示す斜視図である。
【発明を実施するための形態】
【００１６】
以下、本発明の実施形態を図面に基づいて説明する。図１〜３に示すように、本実施形態の電気部品の固定構造は、車両に搭載されるバッテリ（固定対象物）１０に対して被固定物としてのヒューズユニット（ヒュージブルリンクとも言う）２０を固定するための固定構造である。ヒューズユニット２０は、バッテリ１０の電極端子（後述するポスト１４）と負荷との間に配置されて、過電流や通電時の温度上昇を防止するものであって、過電流が流れると溶解する複数の可溶部を有したバスバー２１を内蔵して構成されている。
【００１７】
バッテリ１０は、バッテリ本体を収容するロアケース１１と、このロアケース１１の上部を覆うアッパーケース１２と、を備えた箱状に形成され、アッパーケース１２には、正負の電極端子である左右一対のポスト１３，１４が上方に突出して設けられている。アッパーケース１２は、上面部（設置面部）１５と、上面部１５に連続して四周に垂下された４つの側面部（交差面部）１６と、を有して蓋状に形成されている。また、上面部１５は、上方に位置する第一上面部１５１と、ポスト１３の周辺にて第一上面部１５１よりも下がった第二上面部１５２と、ポスト１４の周辺にて第一上面部１５１よりも下がった第三上面部１５３と、第二上面部１５２と第三上面部１５３とに亘って正面側（図１の左下側）の側面部１６に沿った第四上面部１５４（図５参照）と、を有して段付き状に形成されている。
【００１８】
ヒューズユニット２０は、電気部品本体（被固定物本体）として、バスバー２１をインサート成形により一体に内蔵したユニット本体（ヒューズユニット本体）２２と、このユニット本体２２を支持してバッテリ１０に設置されるベース体２３と、を有して構成されている。ユニット本体２２には、バスバー２１に接続された複数の端子２２１が突設され、これらの端子２２１は、電線Ｗを介して負荷に接続されている。また、ユニット本体２２には、バッテリ１０のポスト１４に接続される電源側端子２２２が突設され、この電源側端子２２２は、バスバー２４及びバッテリターミナル２５を介してポスト１４に接続されている。バッテリターミナル２５は、ポスト１４にネジ止め固定される接続部材であって、バッテリターミナル２５には、接続されたバスバー２４をナットで締め付け固定するためのボルト２５１が設けられている。
【００１９】
ベース体２３は、樹脂製一体成形品であって、図２、３に示すように、アッパーケース１２の第一上面部１５１に載置されるベース板部２３１と、このベース板部２３１の三方の端縁から立ち上がる壁部２３２と、左右の壁部２３２に近接して立ち上がる左右一対のロック部２３３と、ベース板部２３１前方側の端縁から立ち下がる前面壁部２３４と、前面壁部２３４よりも前方に突出する一対のリブ部２３５と、ポスト１４の側にてアッパーケース１２の第三上面部１５３の上面に沿って突出する接続部材支持部２３６と、を有して形成されている。ユニット本体２２は、ベース板部２３１の上面側にて三方の壁部２３２に囲まれるとともに、ロック部２３３に係合されることで、ベース体２３に連結固定されている。
【００２０】
このベース体２３は、ベース板部２３１がアッパーケース１２の第一上面部１５１に載置され、前面壁部２３４の下端縁が第四上面部１５４に載置され、接続部材支持部２３６が第三上面部１５３に載置されることで、アッパーケース１２の上面部１５に設置され、すなわち、アッパーケース１２の上面部１５によって設置面部が構成されている。また、ベース体２３の接続部材支持部２３６には、バッテリターミナル２５が支持され、このバッテリターミナル２５がポスト１４にネジ止め固定されることで、バッテリターミナル２５を介してベース体２３がバッテリ１０のポスト１４に支持されている。
【００２１】
また、ベース体２３において、接続部材支持部２３６から離れた側（図３における左下側）の前面壁部２３４には、金属製の弾性部材３０が設けられている。弾性部材３０は、図４にも示すように、互いに交差して延びる第一アーム部３１及び第二アーム部３２を有して全体Ｌ字状に形成され、金属板材から打ち抜き加工及び折り曲げ加工により一体成形されている。第一アーム部３１は、ベース体２３の一対のリブ部２３５間に位置するとともに、アッパーケース１２の側面部１６の下端縁よりも下方まで延びて設けられている。第二アーム部３２は、ベース体２３の前面壁部２３４に形成された挿通孔２３４Ａ（図５参照）に挿通されるとともに、ベース板部２３１の底面に形成されたガイド部２３７に案内され、かつ係合爪２３８に係合されることで、ベース体２３に保持されている。
【００２２】
第一アーム部３１の下端部には、アッパーケース１２の側面部１６から離れる方向に曲げられた操作部３３が形成され、この操作部３３の上側には、アッパーケース１２側に折れ曲がって側面部１６の下端縁（係止部）１７に係止される被係止部３４が形成されている。被係止部３４は、第一アーム部３１を切り起こして形成され、アッパーケース１２側に折り曲げられるとともに、上方（第二アーム部３２側）に折り曲げられ、断面Ｌ字形に形成されている。この第一アーム部３１の幅寸法は、ベース体２３における一対のリブ部２３５の間隔寸法（内寸）よりも若干小さく形成されており、リブ部２３５間で左右方向に位置調整可能に構成されている。
【００２３】
第二アーム部３２の中央部には、アッパーケース１２の第一上面部１５１側に折れ曲がって第一上面部１５１に当接可能な付勢部３５が形成されている。この付勢部３５は、第二アーム部３２を切り起こして形成され、第一アーム部３１側の基端部からアッパーケース１２に向かって傾斜するとともに、先端部が第一上面部１５１に沿うように断面Ｓ字形に形成され、第二アーム部３２の面直交方向（上下方向）に弾性変形可能に構成されている。また、付勢部３５を切り起こすことで第二アーム部３２に開口部３６が形成され、この開口部３６の端縁にベース体２３の係合爪２３８が係合することで、弾性部材３０がベース板部２３１に保持されるようになっている。
【００２４】
以上の弾性部材３０は、図５に示すように、ベース体２３がアッパーケース１２に設置された状態において、弾性部材３０の被係止部３４がアッパーケース１２の側面部１６の下端縁１７に係止されるとともに、付勢部３５がアッパーケース１２の第一上面部１５１に当接し、第一上面部１５１に押されて上方に弾性変形している。従って、弾性部材３０は、付勢部３５の付勢力によって、アッパーケース１２の第一上面部１５１を下方に押圧するとともに、第二アーム部３２を介してベース体２３を上方（第一上面部１５１から離れる方向）に付勢することとなる。さらに、付勢部３５の付勢力は、第二アーム部３２及び第一アーム部３１を介して被係止部３４に伝達され、被係止部３４が側面部１６の下端縁１７を押し上げる方向に作用し、被係止部３４と側面部１６の下端縁１７とが強く係止されることとなる。
【００２５】
一方、ベース体２３をバッテリ１０から取り外す場合には、操作部３３を持って第一アーム部３１を下方に引き下げ、これにより付勢部３５の付勢力に抗して第二アーム部３２を第一上面部１５１に近づけ、被係止部３４とアッパーケース１２の側面部１６の下端縁１７との係止を解除する。さらに、操作部３３を側面部１６から離れる方向に引いて被係止部３４を下端縁１７から離脱させてから、操作部３３を離すことで、付勢部３５が初期状態に復元して先端が下方に下がり、ベース体２３がアッパーケース１２の上面部１５から浮き上がる。その後、接続部材支持部２３６のバッテリターミナル２５とポスト１４との固定を解除することで、ベース体２３をバッテリ１０から取り外すことができる。
【００２６】
このような本実施形態によれば、以下のような効果がある。即ち、バッテリ１０の設置面部である上面部１５に電気部品としてのヒューズユニット２０を設置するとともに、アッパーケース１２の交差面部である側面部１６における下端縁（係止部）１７に弾性部材３０の被係止部３４が係止されることで、バッテリ１０にヒューズユニット２０が支持される。この支持状態において、弾性部材３０の付勢部３５によってヒューズユニット２０をアッパーケース１２の上面部１５から離れる方向に付勢することで、側面部１６の下端縁１７と被係止部３４との係止力を高めることができ、支持状態を安定させることができる。
【００２７】
さらに、付勢部３５の付勢力によってヒューズユニット２０が付勢されているので、振動や衝撃によるヒューズユニット２０のがたつきや移動を抑制することができる。また、バッテリ１０における係止部がアッパーケース１２の側面部１６の下端縁１７に設けられているので、バッテリ１０から突出した突起部であるポスト１４に対して片持ち状にヒューズユニット２０を固定する場合と比較して、バッテリ１０に対する負荷を軽減させることができる。
【００２８】
また、ヒューズユニット２０のユニット本体２２及びベース体２３と別体で構成された金属製の弾性部材３０が第一アーム部３１及び第二アーム部３２を有して一体に形成され、第一アーム部３１及び第二アーム部３２にそれぞれ被係止部３４及び付勢部３５が設けられている。これにより、アッパーケース１２の側面部１６の下端縁１７に被係止部３４が係止されることによる係止力と、付勢部３５がアッパーケース１２の上面部１５を付勢する付勢力と、が一体の弾性部材３０によって伝達されることになる。従って、弾性部材３０の内部応力によって係止力と付勢力とが釣り合うことで、ヒューズユニット２０のユニット本体２２及びベース体２３に余計なストレスを作用させることがなく、ヒューズユニット２０を強固かつ安定的に支持することができる。また、一体の弾性部材３０に被係止部３４及び付勢部３５が設けられることで、部品点数の増加を招くことなく、固定構造を構成することができる。
【００２９】
また、金属製の弾性部材３０の第一アーム部３１及び第二アーム部３２にそれぞれ被係止部３４及び付勢部３５が切り起こしによって形成されているので、別体の被係止部や付勢部を弾性部材３０に取り付ける場合と比較して、部品点数を削減することができる。さらに、金属製の弾性部材３０の一部を切り起こして被係止部３４及び付勢部３５を形成することで、被係止部３４及び付勢部３５の強度を容易に高めることができ、係止力及び付勢力を適切に作用させることができる。
【００３０】
なお、本発明は、前記実施形態に限定されるものではなく、本発明の目的が達成できる
他の構成等を含み、以下に示すような変形等も本発明に含まれる。例えば、前記実施形態
では、固定対象物としてバッテリ１０を例示し、このバッテリ１０に被固定物としてのヒ
ューズユニット２０が固定される固定構造について説明したが、固定対象物としては、バ
ッテリ１０に限らず、任意の物品であってもよい。
【００３１】
また、前記実施形態では、バッテリ１０に設けられる係止部がアッパーケース１２の側面部１６の下端縁１７によって構成されていたが、係止部は、下端縁１７に限らず、バッテリ１０における任意の位置に設けられていればよい。また、係止部は、側面部（交差面部）１６の下端縁１７のような平坦な部位で構成されたものに限らず、交差面部に形成した孔や凹みであってもよいし、突起であってもよいし、さらには、交差面部に取り付けた別部材によって構成されていてもよい。また、前記実施形態では、バッテリ１０のアッパーケース１２における上面部１５を設置面部とし、側面部１６を交差面部とし、電気部品であるヒューズユニット２０をバッテリ１０の上側に載置する構成としたが、電気部品がバッテリの側面や底面を設置面部として設置されてもよく、その場合には、バッテリの側面や底面と交差する面に係止部が設けられていればよい。
【００３３】
また、前記実施形態では、ヒューズユニット２０がユニット本体２２とベース体２３とを有して構成されていたが、これに限らず、図６に示すように、ヒューズユニット２０Ａが一体のユニット本体２２Ａによって構成されたものであってもよい。このユニット本体２２Ａは、前記ヒューズユニット２０におけるユニット本体２２とベース体２３とを一体化したものであって、その内部にバスバー２１がインサート成形されている。このようなヒューズユニット２０Ａによれば、前記実施形態のヒューズユニット２０のように、ユニット本体２２とベース体２３とを係合させて一体化するための壁部２３２やロック部２３３が省略できることから、ユニット本体２２Ａを成形するための金型を削減するとともに樹脂材料を節約することができる。
【００３４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３５】
１０      バッテリ（固定対象物）
１５      上面部（設置面部）
１６      側面部（交差面部）
１７      下端縁（係止部）
２０，２０Ａ  ヒューズユニット（被固定物）
２２，２２Ａ  ユニット本体（ヒューズユニット本体、被固定物本体）
２３      ベース体（ヒューズユニット本体、被固定物本体）
３０      弾性部材
３１      第一アーム部
３２      第二アーム部
３４      被係止部
３５      付勢部
【図１】
0006490969.tif 000002
【図２】
0006490969.tif 000003
【図３】
0006490969.tif 000004
【図４】
0006490969.tif 000005
【図５】
0006490969.tif 000006
【図６】
0006490969.tif 000007